(57)【要約】【課題】折畳んだ植付ケースや植付爪などが苗載台の側面に対して離間して、折畳んだ植付ケースや植付爪などが、運搬時の振動などにて苗載台の左右端部と干渉するのを防止する。【解決手段】左右並列に配置した複数の植付ケースに各条の植付爪をそれぞれ支持した田植機の植付装置において、最外側条の植付ケースを植付爪が内側寄りに、かつ他の植付ケースよりも後位に移動させることにより左右幅を縮小可能としたものである。【選択図】図６
2005052150.tif 000002
【特許請求の範囲】
【請求項１】
左右並列に配置した複数の植付ケースに各条の植付爪をそれぞれ支持した田植機の植付装置において、最外側条の植付ケースを植付爪が内側寄りに、かつ他の植付ケースよりも後位に移動させることにより左右幅を縮小可能としたことを特徴とする田植機の植付装置。
【請求項２】
走行車の後側に植付部を配置し、前記植付部には、苗載台と植付爪と植付ケースとを設け、前記苗載台と植付爪とを設置するための前記植付ケースは、中央植付ケースと、左右植付ケースとからなり、前記左右植付ケースを折畳むように構成してなる田植機の植付装置において、前記左右植付ケースを前記苗載台の下側部から後側上方に移動するための支点軸とフレームとを介して、前記左右植付ケースを前記中央植付ケースに連結したことを特徴とする請求項１に記載の田植機の植付装置。
【請求項３】
前記左右植付ケースを略水平な田植作業姿勢から略垂直な収納姿勢になるように折畳み可能に構成したことを特徴とする請求項１または２に記載の田植機の植付装置。
【発明の詳細な説明】
【技術分野】
【０００１】
本発明は、例えば苗載台及び植付爪を備えて連続的に苗植作業を行う田植機にあって、苗載台など植付部の左右全幅を縮小させるようにした田植機の植付装置に関するものである。
【背景技術】
【０００２】
従来、例えば１０条など多条用田植機にあって、植付部の左右外側の左右植付ケース及びフロートを、前後方向の軸線回りに略９０度上方に回動させて、苗載台の左右側部に折畳んで、機体左右幅を縮小する手段がある (例えば、特許文献１) 。
【特許文献１】特開平８−１５４４３９号公報
【発明の開示】
【発明が解決しようとする課題】
【０００３】
前記従来技術は、左右植付ケースを折畳んだとき、左右植付ケースの外側に位置するフロートの底面が左右の最機外側となり、例えば８条または１０条の苗載台を折畳んで略６条の幅にし、２トントラックの荷台に田植機を載せて運搬するためには、特開平８−８９０３２号公報の技術のように、左右植付ケース及びフロートを取外す必要がある。また、折畳んだ植付ケースや植付爪などが苗載台の側面に接近して、植付ケースや植付爪などが、運搬時の振動などにて苗載台の左右端部と干渉し易い等の問題がある。
【課題を解決するための手段】
【０００４】
請求項１に係る発明は、左右並列に配置した複数の植付ケースに各条の植付爪をそれぞれ支持した田植機の植付装置において、最外側条の植付ケースを植付爪が内側寄りに、かつ他の植付ケースよりも後位に移動させることにより左右幅を縮小可能としたことを特徴とする。
【０００５】
請求項２に係る発明は、走行車の後側に植付部を配置し、前記植付部には、苗載台と植付爪と植付ケースとを設け、前記苗載台と植付爪とを設置するための前記植付ケースは、中央植付ケースと、左右植付ケースとからなり、前記左右植付ケースを折畳むように構成してなる田植機の植付装置において、前記左右植付ケースを前記苗載台の下側部から後側上方に移動するための支点軸とフレームとを介して、前記左右植付ケースを前記中央植付ケースに連結したことを特徴とする。
【０００６】
請求項３に係る発明は、前記左右植付ケースを略水平な田植作業姿勢から略垂直な収納姿勢になるように折畳み可能に構成したことを特徴とする。
【発明の効果】
【０００７】
請求項１に係る発明は、左右並列に配置した複数の植付ケースに各条の植付爪をそれぞれ支持した田植機の植付装置において、最外側条の植付ケースを植付爪が内側寄りに、かつ他の植付ケースよりも後位に移動させることにより左右幅を縮小可能としたものであるから、最外側条の植付ケースは、田植作業位置に対して、内側寄りであって後位に移動した位置が折畳み位置になり、折畳んだ植付ケースや植付爪などが苗載台の側面に対して離間して、折畳んだ植付ケースや植付爪などが、運搬時の振動などにて苗載台の左右端部と干渉するのを防止できる。
【０００８】
請求項２に係る発明は、走行車の後側に植付部を配置し、前記植付部には、苗載台と植付爪と植付ケースとを設け、前記苗載台と植付爪とを設置するための前記植付ケースは、中央植付ケースと、左右植付ケースとからなり、前記左右植付ケースを折畳むように構成してなる田植機の植付装置において、前記左右植付ケースを前記苗載台の下側部から後側上方に移動するための支点軸とフレームとを介して、前記左右植付ケースを中央植付ケースに連結したものであるから、前高後低に傾斜した前記苗載台の上面側の後部に、前記左右植付ケースを折畳んで支持できる。前記苗載台の側部に左右植付ケースを折畳む従来構造に比べ、前記左右植付ケースを折畳んだときの植付部の左右幅を縮小できる。折畳んだ前記植付ケースや植付爪などが、トラックを用いた輸送時の振動などにて、前記苗載台の左右端部と干渉するのを防止できる。
【０００９】
請求項３に係る発明は、前記左右植付ケースを略水平な田植作業姿勢から略垂直な収納姿勢になるように折畳み可能に構成したものであるから、左右苗載台を折畳んで左右幅を縮小した苗載台の左右幅内に、折畳んだ左右植付ケースを支持できる。略水平な田植作業姿勢の前記左右植付ケースを上方に持上げながら回転させて略垂直な収納姿勢に移動できる。前記中央植付ケースに比べて高い位置に前記左右植付ケースを折畳むことができる。例えば、歩み板を用いてトラックの荷台に田植機を移動するとき、前側が高くなるように田植機が傾斜しても、機体最後部に位置する折畳んだ前記左右植付ケースの下部が路面などに接触するのを防止できる。
【発明を実施するための最良の形態】
【００１０】
以下、本発明の実施例を図面に基づいて詳述する。図１は全体の側面図、図２は同平面図を示し、図中１は作業者が搭乗する走行車であり、エンジン２を車体フレーム３前部上方に搭載させ、ミッションケース４前方にフロントアクスルケース５を介して水田走行用前輪６を支持させると共に、前記ミッションケース４の後部にリヤアクスルケース７を連設し、前記リヤアクスルケース７に水田走行用後輪８を支持させる。そして前記エンジン２等を覆うボンネット９両側に予備苗載台１０を取付けると共に、ステップ１１を介して作業者が搭乗する車体カバー１２によって前記ミッションケース４等を覆い、前記車体カバー１２上部に運転席１３を取付け、その運転席１３の前方で前記ボンネット９後部に操向ハンドル１４を設ける。
【００１１】
また、図中１５は１０条植え用の苗載台１６並びに複数の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ケース２１の回転軸芯を中心に対称位置に一対の爪ケース２２を配設し、その爪ケース２２先端に植付爪１７を取付ける。また前記植付ケース２０の前側にローリング支点軸２３を介して支持フレーム２４を設け、トップリンク２５及びロワーリンク２６を含むリンク機構２７を介して走行車１後側に支持フレーム２４を連結させ、前記リンク機構２７を介して植付部１５を昇降させる昇降シリンダ２８をロワーリンク２６に連結させ、前記前後輪６，８を走行駆動して移動すると同時に、左右に往復摺動させる苗載台１６から一株分の苗を植付爪１７によって取出し、連続的に苗植え作業を行うように構成する。
【００１２】
また、図中２９は走行変速レバー、３０は植付昇降兼作業走行変速用副変速レバー、３１は植付け感度調節レバー、３２は主クラッチペダル、３３は左右ブレーキペダル、３４は均平用センターフロート、３５は均平用サイドフロート、３６は１０条用の側条施肥部である。
【００１３】
図３、図４にも示す如く、前記苗載台１６及び植付ケース２０など植付部１５の左右外側の２条分を機体内側に折畳み自在に設けるもので、前記苗載台１６は左右最外側の２条分の苗載台１６を分割して折畳み自在な分割苗載台１６ｂに形成し、機体中央の６条用苗載台本体１６ａに並行折畳み機構屏風折り機構３７を介して分割苗載台１６ｂを連結させて、苗載台本体１６ａの作用面上方に略平行で且つ２段に分割苗載台１６ｂを折畳みするように設けて、折畳み時苗載台１６の左右全幅を略６条分巾と等しくするように構成している。
【００１４】
図５乃至図８にも示す如く、前記植付ケース２０の左右最外側の２条分を爪ケース２２・フロート３５・植付深さ調節軸３８・苗取出板３９など関連部品と一体に折畳み自在に設けるもので、植付ケース２０間を連結する伝動パイプ４０と、前記調節軸３８及び苗取出板３９において、左右最外側の植付ケース２０とこの内側の植付ケース２０との略中央より若干外側でこれらパイプ４０・調節軸３８・苗取出板３９などを分割すると共に、固定側の中央６条分３つの植付ケース２０ａの後端間を各ブラケット４１ａを介し支点フレーム４２で連結させ、分割側の左右外側各２条分１つの植付ケース２０ｂ後端にブラケット４１ｂを介し固設する回動フレーム４３と、前記支点フレーム４２とを回動支点軸４４を介し連結させ、固定側の中央６条分３つの植付ケース２０ａに対し左右の各２条分１つの植付ケース２０ｂ２０ｂを回動支点軸４４を介し略１８０度内側に回動させて、中央固定側の植付ケース２０ａの後方で折畳みされた分割苗載台１６ｂより後方位置に分割側の植付ケース２０ｂを折畳みするように構成している。
【００１５】
前記回動支点軸４４は、前高後低状に略４５度に傾斜させて、前記支点フレーム４２左右両端の苗載台１６の６条巾位置左右外側の各２つの植付ケース２０ａ，２０ｂ間の略中央に配置させるもので、支点フレーム４２左右両端に固設する筒軸４５と、左右回動フレーム４３の内端に固設する筒軸４６とを下及び上位置に重接嵌合させて蝶番４７に形成し、前記支点フレーム４２と回動フレーム４３は各筒軸４５，４６の重接面から下及び上方向に等距離Ｔ離れた位置で相互に連結している。そして固定側及び分割側の植付ケース２０ａ，２０ｂにボルト４８止め固定する冂形状のブラケット４１ａ，４１ｂの後側面に、前記フレーム４２，４３の円周に沿う略半円状の円弧溝４９ａ，４９ｂを上下に形成し、固定側の支点フレーム４２にあってはブラケット４１ａの下位置の円弧溝４９ｂに、また分割側の回動フレーム４３にあってはブラケット４１ｂの上位置の円弧溝４９ａにそれぞれ係合固定させて、前記支点軸４４を中心として分割側の回動フレーム４３を略１８０度内側に回動させるとき、固定側ブラケット４１ａの上位置の円弧溝４９ａで回動フレーム４３を係合保持して、分割側の植付ケース２０ｂを前端側を上方向とした垂直姿勢に折畳み収納するように構成している。なお分割側の植付ケース２０ｂの折畳み時にあって固定側の左右両側の植付ケース２０ａ後方にフレーム４２を中心として対称状に植付ケース２０ｂが折畳みされるものである。
【００１６】
図９、図１０にも示す如く、分割側の植付ケース２０ｂを折畳み姿勢でロックするロック部材である左右のステー５０を設けるもので、前記支点フレーム４２の後面略中央の取付台５１に枢軸５２を介し回動自在にステー５０の基端を取付け、通常の作業状態時にあっては支点フレーム４２の後面に固設する切欠溝５３ａを有する係合体５３及びフック５４に、前記ステー５０の中間及び先端側を係合させて、支点フレーム４２の後面に沿う状態にステー５０を収納保持する一方、分割側の植付ケース２０ｂの折畳み時にあっては、該ケース２０ｂの伝動パイプ４０とは反対側部に突出させる軸ケース５５のロックボルト５６に前記ステー５０の先端を固定させて、植付ケース２０ｂの垂直姿勢での収納保持を図るように構成している。
【００１７】
図１１乃至図１３に示す如く、各植付ケース２０ａ，２０ｂ間を連結する伝動パイプ４０の分割部に結合ロック機構５７を設けるもので、固定側パイプ４０ａと分割側パイプ４０ｂの分割端面にパイプ４０径より大きな長円形のフランジ５８，５９を設け、分割側フランジ５８の長径部の１８０度対向位置に先端先細りの突起であるピン体６０を固設すると共に、固定側フランジ５８に前記ピン体６０の係合する係合孔６１を開放して、これらピン体６０と係合孔６１との結合によるフランジ５８，５９の接合時に、パイプ４０ａ，４０ｂ内の植付伝動軸６２のクラッチ６３を継続状態とするように構成している。
【００１８】
また、固定側パイプ４０ａの外周面に固設するブラケット６４に枢軸６５を介し基端を門形部６６ａとするハンドル６６を回動自在に取付けると共に、該ハンドル６６の門形部６６ａの内側とブラケット６４の外側との間に門形状のフック部材６７を介設するもので、該フック部材６７はハンドル６６とは枢軸６８を介し連結し、ブラケット４４の傾斜長孔６９とはガイド軸７０を介し連結する一方、分割パイプ４０ｂの外周面に固設する門形の係合体７１にフック部材６７先端のフック６７ａを係合させるように設けて、図１１に示す如く枢軸６５を中心としてハンドル６６をパイプ４４ａ側に下動操作するとき、フック部材６７を長孔６９に略沿って下動させ係合体７１とフック部材６７のロックを行い、また図１３に示す如く枢軸６８を中心としてハンドル６６を起立操作するとき、フック部材６７を長孔６９に略沿って上動させ係合体７１とフック部材６７のロック解除を行うように構成している。なお前記フック部材６７とフランジ５８間にはロックバネ５８ａを介設している。また６６ｂはハンドル６６のロック操作時にハンドル６６に係合させてロック状態を保持させるロック保持部材である。
【００１９】
図１４、図１５にも示す如く、植付調節軸である植付深さ調節軸３８及び苗取出量調節軸７２の分割部にも、軸結合機構７３を設けるもので、植付深さ調節軸３８の場合、分割側軸３８ｂの分割端面に固定側軸３８ａの内径部に挿入する挿入軸体７４を突設させ、分割側軸３８ｂの外周面にＬ字形の位置規制体である規制ピン７５の基端を固設し、該ピン７５の先端を軸３８ｂの延長方向に臨ませると共に、前記ピン７５の係合孔７６を有する逆門形状のガイド係合体７７を固定側軸３８ａ外周面の直交方向に固設して、前記伝動パイプ４０ａ，４０ｂの一体結合時、係合体７７の逆ハノ字形のガイド部７７ａによってピン７５を案内し、係合孔７６に係合させて、軸３８ａ，３８ｂとの一体結合を行うように構成している。またこの場合ガイド部７７ａのガイド巾Ｗは、前記パイプ３８ｂ回動時のパイプ３８ａ，３８ｂの最大相対差より大に形成して、折畳み状態より使用状態に拡張時ピン７５を確実にガイド部７７ａで案内して係合孔７６に係合させるように構成している。
【００２０】
図１６、図１７に示す如く、前記苗取出板３９の最外側部をガードするサイドバンパー７８を固定側パイプ４０ａに折畳み自在に連結支持させるもので、前記固定側パイプ４０ａのフランジ５８より内側位置のブラケット７９に、前記ガイドレール１９を案内する苗台支持シュー８０の支柱８１の基端ベース８２を固設させ、該ベース８２にサイドバンパー７８の基端フレーム８３を固設させ、このフレーム８３の先端に回動支点軸８４及び位置規制ピン８５を介して折畳み自在にサイドバンパー７８を連結させ、該バンパー７８を略９０度上方に折畳むときにはバンパー７８先端の左右筋引マーカ８６も苗載台１６の側方に沿わせる状態に収納保持するように構成している。
【００２１】
以上から明らかなように、植付爪１７を駆動する植付ケース２０の左右両端の複数条分を分割して折畳む田植機の植付装置において、植付ケース２０の植付伝動軸６２を内装する伝動パイプ４０の中間を分割すると共に、該パイプ４０径より大きなフランジ５８，５９で相互の伝動パイプ４０を接合固定させたものであるから、伝動パイプ４０の相互連結時に、パイプ４０に発生する曲げモーメントに対しても強固な構造として、植付性能の安定維持を図ることができるものである。
【００２２】
また、分割された植付ケース２０ｂと、この内側の固定側植付ケース２０ａ間の伝動パイプ４０の略中央分割部にフランジ５８，５９を設けたものであるから、分割側植付ケース２０ｂの容易にして全巾を小とさせた良好な折畳みと強固な連結とを可能とさせることができるものである。
【００２３】
さらに、一方のフランジ５９に突起６０を設けると共に、該突起６０に係合する係合孔６１を他方のフランジ５８に設けたものであるから、分割側植付ケース２０ｂの使用状態への拡張時には、固定側植付ケース２０ａに対する分割側植付ケース２０ｂのスムーズにして確実な連結を可能とさせることができるものである。
【００２４】
またさらに、フランジ５８，５９を接合固定させるフック部材６７とこの係合体７１を伝動パイプ４０に設けたものであるから、固定側植付ケース２０ａに対し分割側植付ケース２０ｂの確実な一体連結を可能とさせることができると共に、フランジを簡単に固定解除させての植付ケース２０ｂの容易な折畳みを可能とさせることができるものである。
【００２５】
また、植付深さなどを調節する植付調節軸３８の左右両端の複数条分を分割し、植付ケース２０と一体に調節軸３８も折畳み自在に設け、分割側及び固定側調節軸３８ａ，３８ｂの一方に連結時の位置規制体７５を他方にこの係合体７７を設けると共に、各調節軸３８ａ，３８ｂの移動量の最大相対差よりも係合体７７の許容巾Ｗを大に設けたものであるから、固定側及び分割側調節軸３８ａ，３８ｂの相互の位置の影響を受けることなく、常にスムーズにして確実なこれら調節軸３８ａ，３８ｂの連結を可能とさせることができるものである。
【００２６】
さらに、植付爪１７を駆動する植付ケース２０の左右両端の複数条分を分割して折畳む田植機の植付装置において、分割側植付ケース２０ｂを中央固定側の植付ケース２０ａの後端で連結フレーム４９ａ，４９ｂを介し略垂直に折畳むと共に、折畳んだ植付ケース２０ｂと固定側連結フレーム４９ａの略中央と間を斜状のステー５０で連結して、分割側植付ケース２０ｂの折畳み姿勢の保持を図るものであるから、折畳んだ植付ケース２０ｂと連結フレーム４９ａと斜状のステー５０との三角構造によって強固に植付ケース２０ｂを保持することができるものである。
【００２７】
またさらに、固定側及び分割側の植付ケース２０ａ，２０ｂの連結時、ステー５０を連結フレーム４９ａ，４９ｂに沿って収納するものであるから、作業時にステー５０を作業の障害とさせることなくコンパクトに収納して、良好な作業を可能とさせることができるものである。
【図面の簡単な説明】
【００２８】
【図１】全体の側面図である。
【図２】全体の平面図である。
【図３】植付部の平面図である。
【図４】苗載台の説明図である。
【図５】植付部の折畳み説明図である。
【図６】植付ケースの折畳み説明図である。
【図７】回動支点軸の説明図である。
【図８】回動支点軸の斜視説明図である。
【図９】ロック用ステーの説明図である。
【図１０】ロック用ステーの収納説明図である。
【図１１】結合ロック機構の側面説明図である。
【図１２】結合ロック機構の平面説明図である。
【図１３】結合ロック機構のロック解除説明図である。
【図１４】軸結合機構の説明図である。
【図１５】軸結合機構の説明図である。
【図１６】サイドバンパー部の正面説明図である。
【図１７】サイドバンパー部の側面説明図である。
【符号の説明】
【００２９】
１  走行車
１５  植付部
１６  苗載台
１７  植付爪
２０，２０ａ，２０ｂ  植付ケース
４２  支点フレーム
４３  回動フレーム
４４  回動支点軸
【図１】
2005052150.tif 000003
【図２】
2005052150.tif 000004
【図３】
2005052150.tif 000005
【図４】
2005052150.tif 000006
【図５】
2005052150.tif 000007
【図６】
2005052150.tif 000008
【図７】
2005052150.tif 000009
【図８】
2005052150.tif 000010
【図９】
2005052150.tif 000011
【図１０】
2005052150.tif 000012
【図１１】
2005052150.tif 000013
【図１２】
2005052150.tif 000014
【図１３】
2005052150.tif 000015
【図１４】
2005052150.tif 000016
【図１５】
2005052150.tif 000017
【図１６】
2005052150.tif 000018
【図１７】
2005052150.tif 000019